(57)【要約】【課題】    本発明は昇降機構であって、本発明の課題は、使用者に極度な負担を掛けずに手動で昇降できる昇降機構を提供することである。【解決手段】      キャビネット上に配置されるカウンタに設けられた開口部から進退可能に略垂直方向に昇降する可動体を有する昇降機構であって、前記可動体が、一方に重りを吊り下げたワイヤと固定滑車を通して吊り下げられたことを特徴とする昇降機構。【選択図】  図３
2010172438.tif 000002
【特許請求の範囲】
【請求項１】
キャビネット上に配置されるカウンタに設けられた開口部から進退可能に略垂直方向に昇降する可動体を有する昇降機構であって、
前記可動体が、一方に重りを吊り下げたワイヤと固定滑車を通して吊り下げられたことを特徴とする昇降機構。
【請求項２】
前記可動体をカウンタ下に格納した状態を保持できる格納保持装置と、該格納保持装置を解除する解除装置とを備え、
前記重りが前記固定滑車を通じて前記可動体を引き上げる力が、前記可動体が前記固定滑車を通じて前記重りを引き上げる力より大きいことを特徴とする請求項１に記載の昇降機構。
【請求項３】
前記重りの重量が、前記可動体の重量よりも大きいことを特徴とする請求項１または２の何れか一項に記載の昇降機構。
【請求項４】
前記可動体が上昇により頂点に達する手前に、衝撃緩和機構を備えていることを特徴とする請求項１乃至請求項３の何れか一項に記載の昇降機構。
【請求項５】
前記ワイヤを複数本備えたことを特徴とする請求項１乃至請求項４の何れか一項に記載の昇降機構。
【請求項６】
前記重りは重量を調整するために取付けまたは取外しできる調整用重りを具備したことを特徴とする請求項１乃至請求項５の何れか一項に記載の昇降機構。
【請求項７】
請求項１乃至請求項６の何れか一項に記載の昇降機構を備えたことを特長とする水周り家具。
【発明の詳細な説明】
【技術分野】
【０００１】
本発明は、システムキッチンや洗面化粧台のカウンタ開口部から昇降する昇降機構に係り、特に水や油の飛散を防止するためのスクリーンの昇降機構に関する発明である。 
【背景技術】
【０００２】
対面型キッチンのコンロ前には通常スクリーンが立てられている。このスクリーンは調理中に跳ねる油が対面側に飛散するのを防止する役割を果たす。ただし調理以外の時は調理し終えた料理の運搬、美観などの観点からスクリーンが出ていると邪魔であり、対面式キッチンの利点を失ってしまう。そこでスクリーンをカウンタ開口部から昇降させる方法が特開２００８−２４６１６９や特開平１０−２０５７８２や特許第３４６１８６７号で開示されている。
【０００３】
特開２００８−２４６１６９ではスクリーンがカウンター下に格納され、電動モータによって昇降する構造が開示されているが、リフォームでは新たに電源を確保する必要がある、カウンター下に駆動源や電源が必要であるなど設置に制約が出る。また電動モータのような駆動源や電動モータを制御するための装置も必要であり、高価な昇降機構となってしまう。
【０００４】
また特開平１０−２０５７８２ではスクリーンを使用者が手で持ち上げる構造が開示されいるが、スクリーンとしてガラス材を用いた場合、その重量は４００ｍｍ×８００ｍｍ×ｔ４ｍｍで約３．５ｋｇとなり、その重量を手で持ち上げるのは使用者にかなりの負担を強いることになる。さらにコンロで火を使っている場合は危険を伴うことがある。
【０００５】
また特許第３４６１８６７号にはスクリーンの昇降を軽減するバネによる負荷軽減装置が開示されているが、一定荷重を期待できるコンストンバネであったとしても、バネによる付勢力のばらつきがあり安定した使用感を達成できない。ここでばらつきとは、バネ自身の個体差、経年変化によるばらつきが考えられる。またバネは独特のキシミ音や起動時に重いことも使用感を悪くしている。 
【先行技術文献】
【特許文献】
【０００６】
【特許文献１】特開２００８−２４６１６９号公報（第７頁、第３図）
【特許文献２】特開平１０−２０５７８２号公報（第３頁、第１図）
【特許文献３】特許第３４６１８６７号公報（第２頁、第３図）
【発明の概要】
【発明が解決しようとする課題】
【０００７】
本発明は、上記問題を解決するためになされたもので、本発明の課題は、使用者に極度な負担をかけずに手動で昇降できる昇降機構を提供することである。
【課題を解決するための手段】
【０００８】
上記目的を達成するために請求項１記載の発明は、キャビネット上に配置されるカウンタに設けられた開口部から進退可能に略垂直方向に昇降する可動体を有する昇降機構であって、前記可動体が、一方に重りを吊り下げたワイヤと固定滑車を通して吊り下げられたことを特徴とする昇降機構である。
このような構成とすることで、可動体の重量を重りで相殺させることができ、使用者が昇降する際に力をあまり必要とせず、負担が少ない。また重りの重量は経年変化が無く、操作時の音も無く、起動時もスムーズであり、使用者の操作感は良好である。
【０００９】
また、請求項２記載の発明によれば、前記可動体をカウンタ下に格納した状態を保持できる格納保持装置と、該格納保持装置を解除する解除装置とを備え、前記重りが前記固定滑車を通じて前記可動体を引き上げる力が、前記可動体が前記固定滑車を通じて前記重りを引き上げる力より大きいことを特徴とする請求項１に記載の昇降機構とすることにより、格納保持装置を解除するだけで可動体が自動で上昇し、可動体を持ち上げるという負担がない。
【００１０】
また、請求項３記載の発明によれば、前記重りの重量が、前記可動体の重量よりも大きいことを特徴とする請求項１または２の何れか一項に記載の昇降機構が提供される。
これにより、簡便な構造により確実に前記可動体を上昇させることが可能となる。
【００１１】
また、請求項４記載の発明によれば、前記可動体が上昇により頂点に達する手前に、衝撃緩和機構を備えていることを特徴とする請求項１乃至請求項３の何れか一項に記載の昇降機構が提供される。
可動体が重量差により自動で上昇する場合、上限高さまで上昇して止まるときに衝撃がある。これを嫌がり使用者が最後に手で押さえて減速させることが予想されるが、請求項４の発明のように衝撃緩和機構を設ければ自動で減速するため、使用者の負担が少ない。
【００１２】
また、請求項５記載の発明によれば、前記ワイヤを複数本備えたことを特徴とする請求項１乃至請求項４の何れか一項に記載の昇降機構とすることにより、可動体と重りをバランスよく連結することができ、昇降時に可動体や重りが傾いたりすることを防ぎスムーズに昇降することができ安定的に可動する。
【００１３】
また、請求項６記載の発明によれば、前記重りは重量を調整するために取付けまたは取外しできる調整用重りを具備したことを特徴とする請求項１乃至請求項５の何れか一項に記載の昇降機構とすることにより、可動体の重量がばらつく場合には調整用重りによってバランスを調整できる。また、スクリーンの上昇速さや格納時の押し込み操作力を調整したり、可動体に収納物を収納できるなど重量が一定でない場合は、調整用重りにて重量のバランスを調整することができ、安定した動きを確保することができる。
【００１４】
また、請求項７記載の発明によれば、請求項１乃至請求項６の何れか一項に記載の昇降機構を備えたことを特長とする水周り家具とすることにより、例えばシステムキッチンのスクリーン、洗面化粧台の水跳ね防止パネルなどをカウンター下に収納することができ、美観を損なうことがない。
【００１５】
ここで可動体とはシステムキッチンのスクリーンや洗面化粧台の水跳ね防止パネルや鏡など重量が一定のものとする。ここでいう重量が一定とは、歯ブラシ収納などの軽量物を収納する昇降棚など、収納物によってごくわずかな重量の変化があるものを含む。
【発明の効果】
【００１６】
本発明によれば、使用者に極力負担をかけることなく、さらにはスムーズかつ安定的にスクリーンのような可動体を昇降させることができるという効果がある。
【図面の簡単な説明】
【００１７】
【図１】本発明の実施の形態に係るシステムキッチン１０の前方斜視図である。
【図２】本発明の実施の形態に係るシステムキッチン１０の後方斜視図である。
【図３】スクリーン５０が上昇した時の昇降機構７０の内部をリビング側から見た斜視図である。
【図４】スクリーン５０が格納された時の昇降機構７０の内部をキャビネット側から見た斜視図である。
【図５】スクリーン５０が上昇した時の開口部３２周りの詳細断面図である。
【図６】スクリーン５０が格納された時の開口部３２周りの詳細断面図である。
【図７】本発明の実施の形態に係る洗面化粧台１１０の斜視図である。
【発明を実施するための形態】
【００１８】
以下、図面を参照しつつ本発明の第一の実施形態について説明する。
図１および図２に示すように、本実施形態のシステムキッチン１０は、キャビネット１１と、キャビネット１１の上に配置されるカウンタ３０と、カウンタ３０の上に配置される調理器具であるコンロ１２と、同じくカウンタ３０の上に配置されるシンク１３とを備えている。カウンタ３０は、キャビネット１１の背面化粧板１４よりも後方に延出するカウンタ延出部３１を備えている。さらにコンロ１２およびシンク１３の後方のカウンタ延出部３１にはスクリーン５０が立設している。またカウンタ延出部３１には、スクリーン５０をカウンタ３０の下へ格納するためにスクリーン５０が進退する開口部３２が設けられ、カウンタ延出部３１の下方側、且つキャビネット１１の背面化粧板１４の外側には、スクリーン５０の格納スペースを有し、且つスクリーン５０の昇降手段を搭載した昇降機構７０が配置されている。なおスクリーン５０は昇降機構７０の一部である。
本実施形態では昇降機構７０をキャビネット１１の背面化粧板１４外側に設けた例を示したが、カウンタ延出部３１を設けずに昇降機構７０をキャビネット１１に内蔵してもかまわない。
【００１９】
続いて図３および図４に示すように、昇降機構７０は、構成部材を取付けるベースケース８０と、これを覆う図示しないベースケース蓋と、スクリーン５０と、スクリーン５０の昇降をガイドする左右のメインレール７１と、スクリーン５０とメインレール７１を連結する連結材７２と、連結材７２に取り付けられ、ワイヤを固定できるワイヤ用フック７９と、そのワイヤ用フック７９に一端を固定したワイヤ７３と、ワイヤ７３の他端に固定された重り７４と、重り７４の昇降をガイドする重りレール７５と、ワイヤ７３を巻き掛けた滑車７６と、スクリーン５０を格納状態に保持する格納保持手段としてスクリーン５０に固定されたメス側ラッチ７７ａと、同じく格納保持手段としてベースケース８０に固定されたオス側ラッチ７７ｂと、連結材７２に固定され上昇による頂点に達する手前で上昇速度を減速さて衝撃を緩和するピストン式のダンパー７８と、ベースケース８０の一部でダンパー７８の先端が当接するダンパー受部８１が備えられている。
【００２０】
スクリーン５０は、強化ガラス５１と、略コの字形状で強化ガラス５１の端面を保護する部材として、強化ガラス５１の外周上端を保護するスクリーン上枠５２と、左右両端を保護するスクリーン横枠５３で構成され、スクリーン５０は、強化ガラス５１の左右下方にて連結材７２と固定されている。
ラッチ７７は、図４に示すようにオス側ラッチ７７ｂのツメがメス側ラッチ７７ａの口に挿入されてある程度押込まれるとメス側ラッチ７７ａの口の中にあるフックが突出してオス側ラッチ７７ｂのツメに引っかかり、抜けなくなる。またこの状態で再度押込むとメス側ラッチ７７ａのフックが後退してオス側ラッチ７７ｂのツメが解放されることで抜ける構造となっている。ラッチ７７のこの機構により、スクリーン５０は格納状態で保持される。
【００２１】
ここで可動体Ａとしては、スクリーン５０、ワイヤ用フック７９、連結材７２、メス側ラッチ７７ａ、ダンパー７８であり、可動体Ａの重量は４ｋｇであるとする。一方重り７４の重量は可動体Ａよりやや重くし、例えばその重量を４．１５ｋｇとし、重量差を１５０ｇに設定する。よって可動体Ａは常に上昇する方向に力が作用している。なお、重量差１５０ｇの理由としては、後述するように下降時に使用者がスクリーンを押し込む力を小さくしたいこと、およびメインレール７１や重りレール７５や滑車７６の摩擦抵抗に打ち勝ち可動体Ａが上昇すること、および可動体Ａの上昇速度が使用者に不快感を与えないこと、が挙げられる。つまり、重り７４と可動体Ａの重量差が大き過ぎると、下降時に使用者がスクリーンを押し込むのに大きな力が必要となる、またスクリーン５０の上昇速度が速く使用者に恐怖感を与える。逆に荷重差が小さ過ぎると、スクリーン５０がメインレール７１と重りレール７５と滑車７６の摩擦抵抗に負けて上昇しない、またスクリーン５０の上昇速度が遅く使用者に不快感を与える。
【００２２】
図５は、スクリーン５０が上昇した時の開口部３２周りの詳細断面図である。図５に示すように、開口部３２には、スクリーン５０の昇降軌道の案内とスクリーン５０上昇時のガタつきの防止、および開口部３２からの昇降機構７０内部への水の浸入を防止するため、開口部３２の開口縁を覆うように支持部材３３が備えつけられる。支持部材３３は、カウンタ３０の開口部３２との当接面に接着剤によって接着され、カウンタ３０上面より上方に３ｍｍ程度の段差ができるような構造とし、さらに支持部材３３とカウンタ３０とが当接する部分にはコーキング３５の処理をすることによりカウンタ３０上にこぼれた液体が昇降機構７０内部に浸入しづらい構成となっている。
また、図６は、スクリーン５０が格納された時の開口部３２周りの詳細断面図である。図６に示すようにスクリーン５０の格納状態では、スクリーン上枠５２の上端が支持部材３３の上面と略面一の高さに設定される。
また図５に示すようにカウンタ３０の裏側にはカウンタ補強材３４が開口部３２を確保して取付けられている。またベースケース８０のカウンタ補強材３４との当接面は上方に折り曲げられ開口部３２の開口木口面に当接するように形成されている。これにより開口部３２に対するスクリーン５０の設置位置を決めることができる。
【００２３】
次に、システムキッチン１０の使用シーンとスクリーン５０の昇降動作の説明を通じて、本発明の作用と効果について説明する。
システムキッチン１０のコンロ１２やシンク１３を使って調理作業を行う際、使用者は図４または図６に示す格納状態のスクリーン５０を上昇させるために、手の指でスクリーン上枠５２を押込むと、スクリーン５０に固定されているメス側ラッチ７７ａの口にオス側ラッチ７７ｂが押込まれ、ラッチが解除される。ラッチ解除に必要な押込み量は２ｍｍ程度である。ラッチ７７が解除され使用者が手を離すと、可動体Ａ側より重い重り７４はその重量差でゆっくりと重りレール７５に沿って下降し始め、滑車７６に巻き掛けたワイヤ７３を介して接続されている連結材７２およびスクリーン５０はメインレール７１に沿って、開口部３２および支持部材３３よりカウンタ延出部３１の上方に突出する。その後スクリーン５０は徐々に速度を増して上昇し、頂点に達する手前でダンパー７８の先端がダンパー受部８１に当接することで減速を開始し、ダンパー７８の先端が完全に押込まれるとスクリーン５０は図３または図５の状態で停止する。こうして必要に応じてスクリーン５０を上昇させることができる。
【００２４】
調理が終了し図３または図５の状態のスクリーン５０を格納する場合は、使用者はスクリーン上枠５２を下方に押込むと、スクリーン５０を含む可動体Ａはメインレール７１に沿って下降し、滑車７６に巻き掛けたワイヤ７３を介して連結している重り７４は重りレール７５に沿って上昇する。使用者の押込み力は可動体Ａと重り７４の重量差の１５０ｇ程度であり、手を添える程度でスクリーン５０を下降開始することができる。このまま使用者が押し続けて、図４または図６に示すようにスクリーン上枠５２が支持部材３３と略面一となると、スクリーン５０に固定されたメス側ラッチ７７ａの口にベースケース８０に固定したオス側ラッチ７７ｂのツメが挿入され、さらに２ｍｍ程度押込むとメス側ラッチ７７ａのフックが突出しオス側ラッチ７７ｂのツメに引っかかる。その後手を離すと再びスクリーン５０は２ｍｍ程度上昇し、スクリーン上枠５２と支持部材３３の上面が略面一となったまま、保持される。
【００２５】
この格納状態でカウンタ３０に液体をこぼした場合は、支持部材３３とカウンタ３０の３ｍｍの段差で液体が昇降機構７０側に進入するのを防ぐ。
【００２６】
また図４または図６に示すようにスクリーン５０の格納状態において熱湯を入れた鍋が支持部材３３の上に置かれていた場合には、使用者が鍋に気づかずスクリーン上枠５２を押込んで上昇を開始しても、鍋と熱湯の重量が重り７４と可動体Ａの重量差１５０ｇより重ければ、スクリーン５０は上昇することがない。よって鍋を不用意にひっくり返して熱湯がこぼれるという危険を回避することができる。
【００２７】
本発明によれば、上昇したスクリーン５０によってコンロ１２使用時の油の飛散を防ぐことができ、またシンク１３からの水跳ねを防止することができる。また、コンロ１２やシンク１３が片付いていない時、コンロ１２やシンク１３をリビング側から隠すことができる。また、コンロ１２からの臭い、煙、熱などの拡散をスクリーン５０が防ぐため、換気扇の補修力アップも期待できる。さらに、スクリーン５０をカウンタ３０下に格納した際には、カウンタ３０上にはスクリーン上枠５２の上端面と、支持部材３３の突出部として３ｍｍが存在するのみであり、システムキッチン１０の作業における邪魔にはならない。更に、対面キッチンにおいては、スクリーン５０を格納可能とすることで、本来のメリットであるオープンな空間を犠牲にすることなくシステムキッチン１０の美観を保つことができる。
さらにその操作においては、上昇時はラッチ７７ａと７７ｂを解除するだけで自動で上昇し、しかも上昇による頂点に達するの手前で減速して衝撃を緩和するため、使用者の負担はほとんど無く操作時の不快感も無い。下降時は使用者が約１５０ｇの荷重をスクリーン５０に加えるだけであり、ほぼ使用者が手を添えるだけで下降するため、使用者の負担はほとんどない。
また重り７４の重量は経年変化することも無く半永久的にこの操作感を維持できる。
またスクリーン５０上に鍋などが戴置され誤って上昇操作した場合可動体Ａと重り７４の重量差である１５０ｇ程度以上であればスクリーン５０は上昇することがないため、鍋がひっくり返って熱湯がこぼれるといった危険を回避することができる。
【００２８】
以下、図面を参照しつつ本発明の第二の実施形態について説明する。
図７は、本発明の実施の形態に係る洗面化粧台１１０の前方斜視図である。
【００２９】
本実施形態の洗面化粧台１１０は、キャビネット１１と、キャビネット１１の上に配置されるカウンタ３０と、カウンタ３０と一体成型されたボウル１１３とを備えている。カウンタ３０には、ボウル１１３の両脇にスクリーン５０が立設している。またカウンタ３０には、スクリーン５０が昇降するための開口部３２が設けられ、且つキャビネット１１は、スクリーン５０の格納スペースを有し、且つスクリーン５０の昇降手段を搭載した図示しない昇降機構７０が配置されている。なおスクリーン５０は昇降機構の一部である。
なお、本実施形態においても第一の実施形態と同様にスクリーン５０が収納される昇降機構７０をキャビネット１１の外部に設けてもよい。この場合、昇降機構７０はキャビネット１１の側部に設けられることになる。
【００３０】
昇降機構７０の構成については、第一の実施形態と同様であるためここでは省略する。なお、スクリーン５０を含む可動体Ｂと重りとの重量差は約１５０ｇとする。
【００３１】
次に、洗面化粧台１１０の使用シーンとスクリーン５０の昇降動作の説明を通じて、本発明の作用と効果について説明する。
洗面化粧台１１０で洗顔や洗髪を行う際、使用者は格納状態のスクリーン５０を上昇させるために、手の指でスクリーン５０上部を押し込みラッチを解除させる。使用者がスクリーン５０上部から手を離すと、重りとスクリーン５０の重量差で、重りはゆっくりと下降し、滑車に巻き掛けたワイヤを介して重りと接続されているスクリーン５０は開口部３２よりカウンタ３０の上方に突出する。その後スクリーン５０は徐々に速度を増して上昇し、頂点に達する手前でダンパー機構によって減速しながら停止する。こうして必要に応じてスクリーン５０を上昇させ、洗顔、洗髪を行う。
【００３２】
洗顔または洗髪中は、ボウル１１３の外側に水が飛び散ることが多いが、この飛散する水は、上昇したスクリーン５０にあたるため、洗面化粧台１１０より外側の壁または床が水で濡れるのを防ぐ。
【００３３】
洗顔または洗髪が終了しスクリーン５０を格納する場合は、使用者はスクリーン５０を下方に押込むことで、スクリーン５０は下降し、ワイヤを介して連結している重りは上昇する。使用者の押込み力はスクリーン５０を含む可動体Ｂと重りの重量差の１５０ｇ程度であり、手を添える程度でスクリーン５０を下降開始することができる。このまま使用者が押し続けて、スクリーン５０上端がカウンター３０の開口部３２と略面一となると、スクリーン５０はラッチに引っかかり、スクリーン５０上端と開口部３２が略面一となったまま、保持される。
【００３４】
本発明によれば、スクリーン５０によって水が壁や床に飛散するのを防ぎ、かつスクリーン５０をカウンタ３０下に格納することで、カウンタ３０上にはスクリーン５０上端面が略カウンタ３０と面一で見えるだけであり、洗面化粧台１１０を通常使用する際に邪魔にはならない。更に、カウンター３０が広い洗面化粧台１１０においては、スクリーン５０を格納可能とすることで、本来のメリットであるオープンな空間を犠牲にすることなく洗面化粧台しいては洗面空間の美観を保つことができる。
さらにその操作においては、上昇時は格納保持手段を解除するだけで自動で上昇し、しかも上昇による頂点に達する手前で減速して衝撃を緩和するため、使用者の負担はほとんど無く操作時の不快感も無い。下降時は使用者が約１５０ｇの荷重をスクリーン５０に加えるだけであり、ほぼ使用者が手を添えるだけで下降するため、使用者の負担はほとんどない。
また重りの重量は経年変化することも無く半永久的にこの操作感を維持できる。
【００３５】
上記、二つの実施形態では、重りの重量を可動体より重くしたが、特にこれに限定するものではなく、重量が同じもしくは可動体側をわずかに重くしてもよい。この場合スクリーンを上昇させるためには、使用者は意図的にスクリーンを手で引き上げる必要があり、スクリーンの上に熱湯の入った鍋や、ガラス製のコップなどが戴置されていても、不用意にスクリーンを上昇させ、戴置物をひっくり返すことがない。なお、この場合はスクリーンを持ち上げる力は、可動体と重りの重量差であり、わずかな力で持ち上げることができる。また、可動体側を重くした場合はラッチを設ける場所を変更し、可動体を上昇位置で保持するための上昇保持手段として使用するとよい。
またダンパーは上昇時に機能するようにしているが、下降時に機能するようにしてもよいし、その両方であってもよい。下降時の衝撃を和らげるので操作感がより向上する。
また重り７４は重量調整できる構造とするとさらによい。例えば追加用の重りをビスなどで固定できる構造が良い。こうすることでスクリーンに使う強化ガラスの重量誤差を吸収させることができ、現場でより安定した動作を確保できる。またメインレールや重りレールや滑車のわずかな摩擦抵抗の誤差も吸収させることができる。
【００３６】
また、上記、二つの実施形態では可動体の重量を４ｋｇ、重りの重量を４．１５ｋｇ、その重量差を１５０ｇとしたが、可動体および重りの重量および可動体と重りの重量差は実施の形態により、自由に変更することが出来る。メインレールや重りレールや滑車の摩擦抵抗、使用者が快適に使える上昇または下降時間の設定などを考慮し適正値に設定すればよい。
【００３７】
また、上記、二つの実施形態では固定された固定滑車のみを使用した構造とし、可動体と重りの重量と移動量がほぼ同じであるが、この固定滑車とは別に動滑車を利用してもよい。動滑車を利用することで、例えば、重りの重量を軽する、または可動体のストロークを増やすことなどが可能となる。
また、上記、二つの実施形態では、重りと可動体を吊り下げるものとしてワイヤを使用したが、特にこれに限定するものではなく、ベルトやチェーンなど滑車に通して使用できるものであればよい。
【００３８】
また、上記、二つの実施形態では可動体をスクリーンとしたが、昇降時に可動体側の重量が比較的一定のものであればこの昇降機構を流用できる。例えば洗面化粧台の鏡、カウンタから昇降する包丁差しや歯ブラシ入れなど収納機能を有する棚が考えられる。
また、その他の点についても本発明の域を脱さない範囲において、自由に適宜変更することが可能である。
【符号の説明】
【００３９】
１０  システムキッチン
１１  キャビネット
１２  コンロ
１３  シンク
１４  背面化粧板
３０  カウンタ
３１  カウンタ延出部
３２  開口部
３３  支持部材
３４  カウンタ補強材
３５  コーキング
５０  スクリーン
５１  強化ガラス
５２  スクリーン上枠
５３  スクリーン横枠
７０  昇降機構
７１  メインレール
７２  連結材
７３  ワイヤ
７４  重り
７５  重りレール
７６  滑車
７７ａ  メス側ラッチ
７７ｂ  オス側ラッチ
７８  ダンパー
７９  ワイヤ用フック
８０  ベースケース
８１  ダンパー受部
８２  突起プレート
１１０  洗面化粧台
１１３  ボウル
【図１】
2010172438.tif 000003
【図２】
2010172438.tif 000004
【図３】
2010172438.tif 000005
【図４】
2010172438.tif 000006
【図５】
2010172438.tif 000007
【図６】
2010172438.tif 000008
【図７】
2010172438.tif 000009